(57)【要約】【課題】本発明は、固体製品を固体製品に直接触れることなく仕込むことに貢献し、また固体製品の貯蔵の間に固体製品を安定に保つことに貢献する固体製品包装および製品包装の方法を提供する。【解決手段】基部、蓋およびシールを含む固体製品用の製品包装。基部は、固体製品を受容するように構成および配置された空洞を形成する上面、側面および底部を有しており、また基部は外側表面を有している。基部の外側表面上に肌理があり、肌理は、基部が逆さにされた時に使用者が基部を掴む能力を高める。シールは基部の上面と蓋を相互に連結し、また蓋が基部の上面から剥離されることを可能にする。【選択図】図１
2009543734.tif 000002
【特許請求の範囲】
【請求項１】
固体製品の製品包装であって、
ａ）固体製品を受け入れるように構成および配置された空洞を形成する上面、側面および底部を有する基部であって、外側表面を有している基部、
ｂ）基部の外側表面上の肌理であって、基部を逆さにした時に、使用者の基部を掴む能力を高める肌理、
ｃ）蓋、および
ｄ）基部の上面と蓋を相互に連結するシールであって、蓋が基部の上面から剥離することができるようにするシール、を含む製品包装。
【請求項２】
前記の上面が、基部の側面に隣接して外側に延びているフランジである請求項１記載の製品包装。
【請求項３】
フランジに隣接した掴み部を更に含み、該掴み部はシールがない領域であり、それによって蓋を掴み、また剥離して蓋を基部の上面から分離することができる請求項２記載の製品包装。
【請求項４】
肌理がうね織り模様である請求項１記載の製品包装。
【請求項５】
うね織り模様が少なくとも１．５ｍｍ外側に延びている請求項４記載の製品包装。
【請求項６】
うね織り模様が少なくとも第１および第２の畝を含み、第１の畝の中心が第２の畝の中心から少なくとも２５．４ｍｍ間隔をあけている請求項４記載の製品包装。
【請求項７】
うね織り模様が基部の底部の近傍にある請求項４記載の製品包装。
【請求項８】
基部が、ポリエチレン、ナイロン、ポリプロピレン、ポリスチレン、およびポリ塩化ビニルからなる群から選ばれた物質である請求項１記載の製品包装。
【請求項９】
蓋が、少なくとも２層を含む多層積層品から作られており、その内の１層が熱シール可能な層である請求項１記載の製品包装。
【請求項１０】
蓋の熱シール可能な層が、基部の上面と蓋を相互に連結するシールを作り出す請求項９記載の製品包装。
【請求項１１】
基部が、３１ｇ／１００ｍ２（０．０２ｇ／１００ｓｑ．ｉｎ．）未満の水蒸気透過速度を有し、また蓋が２００ｇ／１００ｍ２（０．１３ｇ／１００ｓｑ．ｉｎ．）未満の水蒸気透過速度を有する請求項１記載の製品包装。
【請求項１２】
固体製品を製品包装から固体製品分配器中へ分配する方法であって、
ａ）基部、蓋およびシールを有する製品包装であって、基部は固体製品を受け入れるように構成および配置された空洞を形成する上面、側面および底部を有しており、シールは基部の上面と蓋を相互に連結し、シールは蓋が掴まれ、また蓋を基部の上面から剥離させることを可能にする、製品包装を得ること
ｂ）蓋の剥離可能な部分を掴むこと、
ｃ）剥離可能な蓋を基部から剥離すること、
ｄ）基部を掴み、そして基部を逆さにし、それによって基部の底部を上の方向にし、また基部の上面を下の方向にすること、および
ｅ）固体製品が空洞から固体製品分配器中に滑り出すことを可能にすること、を含む方法。
【請求項１３】
基部が、外側表面上の少なくとも一部に肌理を有する外側表面を有しており、該肌理が掴むことのできる表面を与える請求項１２記載の方法。
【請求項１４】
肌理がうね織り模様である請求項１２記載の方法。
【請求項１５】
うね織り模様が少なくとも１．５ｍｍ外側に延びている請求項１４記載の方法。
【請求項１６】
うね織り模様が少なくとも第１および第２の畝を含み、第１の畝の中心が第２の畝の中心から少なくとも２５．４ｍｍだけ間隔をあけている請求項１４記載の方法。
【請求項１７】
うね織り模様が基部の底部の近傍にある請求項１４記載の方法。
【請求項１８】
基部を圧迫すること、それで基部を内側にゆがめて、基部が逆さまにされる前に、基部と固体製品の間に摩擦を与え、それによって摩擦が解除されるまでは固体製品は基部から落下しないこと、を更に含む請求項１２記載の方法。
【請求項１９】
固体製品を製品包装から固体製品分配器中へ分配する方法であって、製品包装は基部、蓋およびシールを有しており、基部は固体製品を受け入れるように構成および配置された空洞を形成する上面、側面および底部を有しており、基部は外側表面上の少なくとも一部に肌理を有する外側表面を有しており、シールは基部の上面と蓋を相互に連結し、シールは蓋が掴まれ、また蓋を基部の上面から剥離させることを可能し、
ａ）製品包装を得ること、
ｂ）剥離可能な蓋の一部を掴むこと、
ｃ）剥離可能な蓋を基部から剥離すること、
ｄ）肌理に隣接した基部を掴むこと、その肌理は基部の外側表面の近傍に掴むことのできる表面を与えるものであること、
ｅ）肌理の近傍で基部を圧迫し、そうして基部を逆さにする前に、基部を内側にゆがめて基部と固体製品の間に摩擦を与え、それによって摩擦が開放されるまでは固体製品が基部から落ちないようにすること、
ｆ）基部を逆さにすること、それによって基部の底部を上の方向にし、また基部の上面を下の方向にし、基部が逆さにされた時に肌理が使用者の基部を掴む能力を高めること、および
ｇ）摩擦を開放すること、それによって固体製品が空洞から固体製品分配器中に滑り出すことを可能にすること、を含む方法。
【請求項２０】
肌理が基部の底部の近傍のうね織り模様である請求項１９記載の方法。
【請求項２１】
うね織り模様が少なくとも１．５ｍｍ外側に延びている請求項２０記載の方法。
【請求項２２】
うね織り模様が少なくとも第１および第２の畝を含み、第１の畝の中心が第２の畝の中心から少なくとも２５．４ｍｍ間隔をあけている請求項２０記載の方法。
【発明の詳細な説明】
【技術分野】
【０００１】
本発明は固体製品の製品包装に関する。
【背景技術】
【０００２】
固体製品は、固体でない製品を用いるのに対して、多くの利点を提供する。例えば、固体製品は、普通は濃縮物として調製されており、そして使用する前に希釈するようになされているので、通常は輸送するのに費用がより掛からない。固体製品は、強酸および強塩基を含む、より良い洗浄をもたらす、攻撃的な化学物質を用いて調製することができる。固体製品は、固体でない、または液体の製品のようにはこぼれることがないので、そのような攻撃的な化学物質を含む固体製品は、匹敵する固体でない、または液体の製品よりも通常は安全であると考えられている。
【０００３】
固体製品は、固体製品分配器に入れて、濃縮した使用溶液または使用溶液を作り出すために分配される。固体製品によっては、苛性または腐食性であり、また固体製品と直接に接触して取り扱うべきではない。このことは、工業的洗濯、食器洗い、そして床手入れ製品において特に当てはまる。
【０００４】
熱成型したブリスターパックおよび蓋付の容器が、固体製品を包装するのに通常用いられている。しかしながら、これらの種類の包装は、通常は使用者が台紙や蓋を容器から取り除いて、そして固体製品を分配器中に落とす必要がある。この方法は使用者を固体製品との直接の接触に曝し、そのことは望ましいことではない。
【０００５】
固体製品が包装される他の種類の包装は、シュリンク包装フィルムである。フィルム中の小さな孔が、フィルムが収縮して固体製品の形状に適合する際に、孔がなければ閉じ込められる空気の排出を可能にする。これらの小さな孔は、水分が大気から包装中に入ることを可能にし、このことは固体製品の膨潤、および少なくとも一部の溶解を引き起こす可能性がある。更に、使用者が、これらの小さな孔から漏れ出した固体製品に直接に接触する可能性がある。このように、固体製品を、固体製品に触れることなく分配器中に仕込むことは興味深いことである。
【０００６】
押出された酸性およびアルカリ性の固体製品を含む固体製品の製造、貯蔵および使用に関しての１つの課題は、固体製品の安定性である。湿気のような環境条件に曝すと、固体製品は湿気を吸収し、固体製品の少なくとも一部の軟化または溶解をもたらす可能性がある。湿気の吸収は、固体製品の軟化した層をもたらし、固体製品の取り扱いまた適正に分配することを困難にする可能性がある。更に、より高い湿気またはより高いアルカリの濃度の条件では、湿気の吸収は液体生成物の生成をもたらし、それが固体製品の表面から落ち込み、または流れ出し、極めて苛性の物質の液溜りを作り出す可能性がある。湿気および固体製品の安定性だけが当該製品の製造および取扱いにおける課題ではなく、不安定な性質もまたこの製品の分配における問題の原因となり得る。柔軟化した表面または液状の物質は、表面から流れ出る可能性があり、分配中に物質の乱高下を引き起こし、不均一な濃度での分配をもたらす可能性がある。噴霧型の分配器を用いて分配される場合には、水の噴霧は固体製品の表面上に向けられる。適正に操作された場合には、この噴霧は固体製品の極く一部を使用溶液の水性濃縮液の形で取り去る。もしも、固体製品が、少なくとも部分的に柔軟化されていたり、または液化されていると、使用溶液の水性濃縮液は濃度が高くなり過ぎる。
【発明の概要】
【発明が解決しようとする課題】
【０００７】
固体製品を固体製品に直接触れることなく仕込むことに貢献し、また固体製品の貯蔵の間に固体製品を安定に保つことに貢献する固体製品包装を有することが望まれている。
【課題を解決するための手段】
【０００８】
本発明の１つの態様は基部、蓋およびシールを含む固体製品用の製品包装を提供する。基部は、固体製品を受け入れるように構成および配置された空洞を形成する上面、側面および底部を有しており、また基部は外側表面を有している。基部の外側表面上にある肌理が、基部が逆さにされた時に、使用者の基部を掴む能力を高める。シールは、基部の上面と蓋を相互に連結し、また蓋が基部の上面から剥離することができるようにする。
【０００９】
本発明の他の態様は、固体製品を製品包装から固体製品分配器中へ分配する方法を提供する。基部、蓋およびシールを有する製品包装が得られる。基部は、固体製品を受け入れるように構成および配置された空洞を形成する上面、側面および底部を有している。シールは、基部の上面と蓋を相互に連結し、また蓋が掴まれそして剥離されて、蓋が基部の上面から分離することができるようにする。剥離可能な蓋の一部が掴まれ、そして剥離可能な蓋は基部から剥離される。基部は持たれ、そして逆さにされ、基部の底部は上の方向になり、また基部の上面は下の方向になる。固体製品は、空洞から固体製品分配器中へと滑り出すことができる。
【００１０】
本発明の他の態様は、固体製品を製品包装から固体製品分配器中へ分配する方法を提供する。製品包装は、基部、蓋およびシールを有している。基部は、固体製品を受け入れるように構成および配置された空洞を形成する上面、側面および底部を有しており、また基部は、外側表面の少なくとも一部に肌理のある外側表面を有している。シールは、基部の上面と蓋を相互に連結し、また蓋が掴まれそして剥離されて、蓋が基部の上面から分離することができるようにする。製品包装が得られる。剥離可能な蓋の一部が掴まれ、そして剥離可能な蓋は基部から剥離される。基部は肌理の近傍で掴まれ、肌理は基部の外側の表面の近傍に掴むことのできる表面を与えている。基部は肌理の近傍で圧迫され、そして基部を内側にゆがめて、基部が逆さまにされる前に、基部と固体製品の間に摩擦を与えるために、摩擦が解除されるまでは固体製品は基部から落下しない。基部は逆さにされ、そして基部の底部は上の方向になり、また基部の上面は下の方向になり、また肌理は、基部が逆さにされた時に、使用者が基部を掴む能力を高める。そして摩擦は解除され、固体製品を空洞から固体製品分配器中へと滑り出さしめることができる。
【発明の効果】
【００１１】
本発明は、固体製品を固体製品に直接触れることなく仕込むことに貢献し、また固体製品の貯蔵の間に固体製品を安定に保つことに貢献する固体製品包装および、固体製品を製品包装から固体製品分配器中へ分配する方法を与える。
【図面の簡単な説明】
【００１２】
【図１】図１は、本発明の原理によって作られ、中に固体製品を入れた製品包装の斜視図である。
【図２】図２は、製品包装が作られた時の、図１に示した製品包装の上面図である。
【図３】図３は、中に固体製品を入れた、図１に示した製品包装の上面図である。
【図４】図４は、図１に示した製品包装の側面図である。
【図５】図５は、本発明の原理によって作られ、中に固体製品を入れた他の製品包装の斜視図である。
【図６】図６は、製品包装が作られた時の、図５に示した製品包装の上面図である。
【図７】図７は、中に固体製品を入れた、図５に示した製品包装の上面図である。
【図８】図８は、図５に示した製品包装の側面図である。
【図９】図９は、本発明の原理によって作られ、中に固体製品を入れた他の製品包装の斜視図である。
【図１０】図１０は、製品包装が作られた時の、図９に示した製品包装の上面図である。
【図１１】図１１は、中に固体製品を入れた、図９に示した製品包装の上面図である。
【図１２】図１２は、図９に示した製品包装の側面図である。
【図１３】図１３は、本発明の原理によって作られ、中に固体製品を入れた他の製品包装の斜視図である。
【図１４】図１４は、製品包装が作られた時の、図１３に示した製品包装の上面図である。
【図１５】図１５は、中に固体製品を入れた、図１３に示した製品包装の上面図である。
【図１６】図１６は、図１３に示した製品包装の側面図である。
【図１７】図１７は、製品包装の基部から蓋を部分的に剥離した、図１３に示した製品包装の側面図である。
【図１８】図１８は、基部の内部に製品を保持するのに役立つように内側に基部の一部をゆがめて逆さにされた図１７に示した製品包装の側面図である。
【図１９】図１９は、水蒸気透過速度を示すグラフであり、経時での質量パーセントの変化を示している。
【発明を実施するための形態】
【００１３】
図１〜４中では、固体製品包装の好ましい実施態様は数字１００で示され、図９〜１２中では、固体製品包装の好ましい実施態様は数字２００で示され、図１〜４中では、固体製品包装の好ましい実施態様は数字３００で示され、また図１３〜１８中では固体製品包装の好ましい実施態様は数字４００で示されている。
【００１４】
本発明はどのような固体製品にも用いることができる。用語「固体製品」は、固体製品、実質的な固体製品および半固体製品等を含むことが理解される。もしも固体製品がブロックのような造形品であるならば、固体製品は、キャスト法、押出法および圧搾粉体法を含むいずれかの所望の方法で形成することができる。固体製品は種々の用途、例えば、しかしながらこれらに限定されるが、食器洗い洗剤、食器洗いリンス剤、車両手入れ洗剤、例えば車用洗剤、医療機器洗剤、定置洗浄剤、床洗浄剤用等用に処方することができる。固体製品は、酸、塩基、硬化剤、金属イオン封鎖剤、界面活性剤、石鹸混和剤、酵素、染料、香料等、種々の異なる化学物質を含むことができる。
【００１５】
図１〜４に示されるように、製品包装１００は、シール１１４で相互に連結された基部１０１および剥離可能な蓋１１１を含んでいる。基部１０１は、４つの側面１０２を含み、隣接する側面１０２は丸みを帯びた隅部１０３によって相互に連結されている。それぞれの側面１０２は好ましくは隣接する側面１０２に対して約９０度である。側面１０２および隅部１０３は、側面１０２および隅部１０３の底部端の近傍で、底部１０５によって相互に連結されている。上面１０６は、好ましくはフランジであるが、側面１０２および隅部１０３の上面端に隣接して、側面１０２および隅部１０３から外側に延びている。側面１０２、隅部１０３および底部１０５は、空洞１０７を形成している。うね織り模様１０４は基部１０１の底部１０５の近傍であり、また基部１０１の外側の、肌理を与えられた、滑らない、掴む事のできる表面である。他の肌理を与えられた、滑らない、掴むことのできる表面、例えば、しかしながらそれらには限定されないが、ワッフル模様、隆起、粗面およびゴム被覆の表面を用いることができることが認識される。うね織り模様１０４は好ましくは、少なくとも２つの相対する側面１０２から外側に延びる少なくとも１本の畝であり、またより好ましくは、底部１０５に平行に基部１０１の周りに、側面１０２および隅部１０５から外側に延びる少なくとも３本の畝である。うね織り模様１０４は、好ましくは基部１０１から外側に少なくとも１．５ミリメートル（ｍｍ）延びており、また複数の畝が用いられる場合には、それらの畝は好ましくは畝の中心から中心で少なくとも２５．４ｍｍ離れて間隔をあけている。うね織り模様１０４は、好ましくは底部１０５から５．１ｃｍ（２．０インチ）以内にある。
【００１６】
基部１０１は別個の部品で作られていてもよいことが認識されるが、基部１０１は好ましくは一体的に形成され、側面１０２および隅部１０３から外側に延びるうね織り模様１０４を含んでいる。好ましくは、基部１０１は当技術分野で良く知られている方法で熱成形され、また高分子（高分子に係わる、または高分子を含む）材料から作られ、高分子材料としては例えば、ポリエチレン、ナイロン、ポリプロピレン、ポリスチレン、およびポリ塩化ビニルが挙げられるが、それらには限定されない。図２に示されているように、基部１０１は、当技術分野でよく知られている方法で、それぞれの基部１０１の間に切り目１１６を備えて、他の基部１０１と隣接して作ることができ、それによりそれぞれの基部１０１は容易に分離することができる。固体製品１２０は空洞１０７の中に配置される。好ましくは固体製品１２０は基部１０１の形状に対応した正方形の形の製品である。次いで、剥離可能な蓋１１１が基部１０１の上面１０６に結合される。
【００１７】
剥離可能な蓋１１１は、好ましくは基部１０１の上面１０６の形状に対応したイージーピールフィルムである。好ましくは、蓋１１１は少なくとも２層を含む多層積層品で作られており、その層の１つは熱シール可能な層である。シール１１４は、好ましくは蓋１１１に熱を加えることによって形成され、熱シール可能な層を基部１０１の上面１０６に結合させ、上面１０６および蓋１１１を相互に連結する。シール１１４は、好ましくは上面１０６の周囲に隣接して配置され、１つの角では角度を付けられており、それにより蓋１１１が上面１０６に結合されていない角が生じ、そして掴み部１１２を与え、そこでは上面１０６から蓋１１１を剥がし始めるのに使用者が蓋１１１を容易に掴むことができる。シール１１４の剥離強度は、好ましくは９８．４ｇ／ｃｍ（２５０グラム／インチ）未満であり、それで上面１０６と蓋１１１の間の密封を与える一方で、上面１０６から蓋１１１を容易に剥がすことを可能にする。基部１０１、蓋１１１およびシール１１４は防湿性を与え、これにより湿気は製品包装１００には浸透することができない。水蒸気透過速度（ＷＶＴＲ）はグラム／１００平方インチ／２４時間（ｇ／１００ｍ２（ｇ／１００ｓｑ．ｉｎ．））で測定される。湿気に敏感な製品では、ＷＶＴＲは好ましくは、基部１０１では３１ｇ／１００ｍ２（０．０２ｇ／１００ｓｑ．ｉｎ．）未満であり、蓋１１１では２００ｇ／１００ｍ２（０．１３ｇ／１００ｓｑ．ｉｎ．）未満である。
【００１８】
図５〜８に示されるように、製品包装２００は、シール２１４で相互に連結された基部２０１および剥離可能な蓋２１１を含んでいる。基部２０１は、４つの側面２０２を含み、隣接する側面２０２は丸みを帯びた隅部２０３によって相互に連結されている。それぞれの側面２０２は好ましくは隣接する側面２０２に対して約９０度である。側面２０２および隅部２０３は、側面２０２および隅部２０３の底部端の近傍で、底部２０５によって相互に連結されている。上面２０６は、好ましくはフランジであるが、側面２０２および隅部２０３の上面端に隣接して、側面２０２および隅部２０３から外側に延びている。側面２０２、隅部２０３および底部２０５は、空洞２０７を形成している。うね織り模様２０４は基部２０１の底部２０５の近傍であり、また基部２０１の外側の、肌理を与えられた、滑らない、掴む事のできる表面である。他の肌理を与えられた、滑らない、掴むことのできる表面、例えば、しかしながらそれらには限定されないが、ワッフル模様、隆起、粗面およびゴム被覆の表面を用いることができることが認識される。うね織り模様２０４は好ましくは、少なくとも２つの相対する側面２０２から外側に延びる少なくとも１本の畝であり、またより好ましくは、底部２０５に平行に基部２０１の周りに、側面２０２および隅部２０５から外側に延びる少なくとも３本の畝である。うね織り模様２０４は、好ましくは基部２０１から外側に少なくとも１．５ミリメートル（ｍｍ）延びており、また複数の畝が用いられる場合には、それらの畝は好ましくは畝の中心から中心で少なくとも２５．４ｍｍ離れて間隔をあけている。うね織り模様２０４は、好ましくは底部２０５から５．１ｃｍ（２．０インチ）以内にある。
【００１９】
基部２０１は別個の部品で作られていてもよいことが認識されるが、基部２０１は好ましくは一体的に形成され、側面２０２および隅部２０３から外側に延びるうね織り模様２０４を含んでいる。好ましくは、基部２０１は当技術分野で良く知られている方法で熱成形され、また高分子（高分子に係わる、または高分子を含む）材料から作られ、高分子材料としては例えば、ポリエチレン、ナイロン、ポリプロピレン、ポリスチレン、およびポリ塩化ビニルが挙げられるが、それらには限定されない。図６に示されているように、基部２０１は、当技術分野でよく知られている方法で、それぞれの基部２０１の間に切り目２１６をそれぞれの側に備えて、他の基部２０１と隣接して作ることができ、それによりそれぞれの基部２０１は容易に分離することができる。固体製品２２０は空洞２０７の中に配置される。好ましくは固体製品２２０は基部２０１の形状に対応した正方形の形の製品である。次いで、剥離可能な蓋２１１が基部２０１の上面２０６に結合される。
【００２０】
剥離可能な蓋２１１は、好ましくは基部２０１の上面２０６の形状に対応したイージーピールフィルムである。好ましくは、蓋２１１は少なくとも２層を含む多層積層品で作られており、その層の１つは熱シール可能な層である。シール２１４は、好ましくは蓋２１１に熱を加えることによって形成され、熱シール可能な層を基部２０１の上面２０６に結合させ、上面２０６および蓋２１１を相互に連結する。シール２１４は、好ましくは上面２０６の３つの辺の周囲に隣接して配置され、４番目の辺は空洞２０７により近く配置され、それにより蓋２１１が上面２０６に結合されていない側端が生じ、従って掴み部２１２を与え、そこでは上面２０６から蓋２１１を剥がし始めるのに、使用者が蓋２１１を容易に掴むことができる。シール２１４の剥離強度は、好ましくは９８．４ｇ／ｃｍ（２５０グラム／インチ）未満であり、それで上面２０６と蓋２１１の間の密封を与える一方で、上面２０６から蓋２１１を容易に剥がすことを可能にする。基部２０１、蓋２１１およびシール２１４は防湿性を与え、これにより湿気は製品包装２００には浸透することができない。水蒸気透過速度（ＷＶＴＲ）はグラム／１００平方インチ／２４時間（ｇ／１００ｍ２（ｇ／１００ｓｑ．ｉｎ．））で測定される。湿気に敏感な製品では、ＷＶＴＲは好ましくは、基部２０１では３１ｇ／１００ｍ２（０．０２ｇ／１００ｓｑ．ｉｎ．）未満であり、蓋２１１では２００ｇ／１００ｍ２（０．１３ｇ／１００ｓｑ．ｉｎ．）未満である。
【００２１】
図９〜１２に示されるように、製品包装３００は、シール３１４で相互に連結された基部３０１および剥離可能な蓋３１１を含んでいる。基部３０１は、５つの側面３０２を含み、隣接する側面３０２は丸みを帯びた隅部３０３によって相互に連結されている。それぞれの側面３０２は好ましくは隣接する側面３０２に対して約１０８度である。側面３０２および隅部３０３は、側面３０２および隅部３０３の底部端の近傍で、底部３０５によって相互に連結されている。上面３０６は、好ましくはフランジであるが、側面３０２および隅部３０３の上面端に隣接して、側面３０２および隅部３０３から外側に延びている。側面３０２、隅部３０３および底部３０５は、空洞３０７を形成している。うね織り模様３０４は基部３０１の底部３０５の近傍であり、また基部３０１の外側の、肌理を与えられた、滑らない、掴む事のできる表面である。他の肌理を与えられた、滑らない、掴むことのできる表面、例えば、しかしながらそれらには限定されないが、ワッフル模様、隆起、粗面およびゴム被覆の表面を用いることができることが認識される。うね織り模様３０４は好ましくは、少なくとも２つの相対する側面３０２から外側に延びる少なくとも１本の畝であり、またより好ましくは、底部３０５に平行に基部３０１の周りに、側面３０２および隅部３０５から外側に延びる少なくとも３本の畝である。うね織り模様３０４は、好ましくは基部３０１から外側に少なくとも１．５ミリメートル（ｍｍ）延びており、また複数の畝が用いられる場合には、それらの畝は好ましくは畝の中心から中心で少なくとも２５．４ｍｍ離れて間隔をあけている。うね織り模様３０４は、好ましくは底部３０５から５．１ｃｍ（２．０インチ）以内にある。
【００２２】
基部３０１は別個の部品で作られていてもよいことが認識されるが、基部３０１は好ましくは一体的に形成され、側面３０２および隅部３０３から外側に延びるうね織り模様３０４を含んでいる。好ましくは、基部３０１は当技術分野で良く知られている方法で熱成形され、また高分子（高分子に係わる、または高分子を含む）材料から作られ、高分子材料としては例えば、ポリエチレン、ナイロン、ポリプロピレン、ポリスチレン、およびポリ塩化ビニルが挙げられるが、それらには限定されない。図１０に示されているように、基部３０１は、当技術分野でよく知られている方法で、それぞれの基部３０１の間に切り目３１６を備えて、他の基部３０１と隣接して作ることができ、それによりそれぞれの基部３０１は容易に分離することができる。固体製品３２０は空洞３０７の中に配置される。好ましくは固体製品３２０は基部３０１の形状に対応した五角形の形の製品である。次いで、剥離可能な蓋３１１が基部３０１の上面３０６に結合される。
【００２３】
剥離可能な蓋３１１は、好ましくは基部３０１の上面３０６の形状に対応したイージーピールフィルムである。好ましくは、蓋３１１は少なくとも２層を含む多層積層品で作られており、その層の１つは熱シール可能な層である。シール３１４は、好ましくは蓋３１１に熱を加えることによって形成され、熱シール可能な層を基部３０１の上面３０６に結合させ、上面３０６および蓋３１１を相互に連結する。シール３１４は、好ましくは上面３０６の周囲に隣接して配置され、１つの角では角度を付けられており、それにより蓋３１１が上面３０６に結合されていない角が生じ、従って掴み部３１２を与え、そこでは上面３０６から蓋３１１を剥がし始めるのに使用者が蓋３１１を容易に掴むことができる。シール３１４の剥離強度は、好ましくは９８．４ｇ／ｃｍ（２５０グラム／インチ）未満であり、それで上面３０６と蓋３１１の間の密封を与える一方で、上面３０６から蓋３１１を容易に剥がすことを可能にする。基部３０１、蓋３１１およびシール３１４は防湿性を与え、これにより湿気は製品包装３００には浸透することができない。水蒸気透過速度（ＷＶＴＲ）はグラム／１００平方インチ／２４時間（ｇ／１００ｍ２（ｇ／１００ｓｑ．ｉｎ．））で測定される。湿気に敏感な製品では、ＷＶＴＲは好ましくは、基部３０１では３１ｇ／１００ｍ２（０．０２ｇ／１００ｓｑ．ｉｎ．）未満であり、蓋３１１では２００ｇ／１００ｍ２（０．１３ｇ／１００ｓｑ．ｉｎ．）未満である。
【００２４】
図１３〜１７に示されるように、製品包装４００は、シール４１４で相互に連結された基部４０１および剥離可能な蓋４１１を含んでいる。基部４０１は、６つの側面４０２を含み、隣接する側面４０２は丸みを帯びた隅部４０３によって相互に連結されている。それぞれの側面４０２は好ましくは隣接する側面４０２に対して約１２０度である。側面４０２および隅部４０３は、側面４０２および隅部４０３の底部端の近傍で、底部４０５によって相互に連結されている。上面４０６は、好ましくはフランジであるが、側面４０２および隅部４０３の上面端に隣接して、側面４０２および隅部４０３から外側に延びている。側面４０２、隅部４０３および底部４０５は、空洞４０７を形成している。うね織り模様４０４は基部４０１の底部４０５の近傍であり、また基部４０１の外側の、肌理を与えられた、滑らない、掴む事のできる表面である。他の肌理を与えられた、滑らない、掴むことのできる表面、例えば、しかしながらそれらには限定されないが、ワッフル模様、隆起、粗面およびゴム被覆の表面を用いることができることが認識される。うね織り模様４０４は好ましくは、少なくとも２つの相対する側面４０２から外側に延びる少なくとも１本の畝であり、またより好ましくは、底部４０５に平行に基部４０１の周りに、側面４０２および隅部４０５から外側に延びる少なくとも３本の畝である。うね織り模様４０４は、好ましくは基部４０１から外側に少なくとも１．５ミリメートル（ｍｍ）延びており、また複数の畝が用いられる場合には、それらの畝は好ましくは畝の中心から中心で少なくとも２５．４ｍｍ離れて間隔をあけている。うね織り模様４０４は、好ましくは底部４０５から５．１ｃｍ（２．０インチ）以内にある。
【００２５】
基部４０１は別個の部品で作られていてもよいことが認識されるが、基部４０１は好ましくは一体的に形成され、側面４０２および隅部４０３から外側に延びるうね織り模様４０４を含んでいる。好ましくは、基部４０１は当技術分野で良く知られている方法で熱成形され、また高分子（高分子に係わる、または高分子を含む）材料から作られ、高分子材料としては例えば、ポリエチレン、ナイロン、ポリプロピレン、ポリスチレン、およびポリ塩化ビニルが挙げられるが、それらには限定されない。図１４に示されているように、基部４０１は、当技術分野でよく知られている方法で、それぞれの基部４０１の間に切り目４１６を備えて、他の基部４０１と隣接して作ることができ、それによりそれぞれの基部４０１は容易に分離することができる。固体製品４２０は空洞４０７の中に配置される。好ましくは固体製品４２０は基部４０１の形状に対応した六角形の形の製品である。次いで、剥離可能な蓋４１１が基部４０１の上面４０６に結合される。
【００２６】
剥離可能な蓋４１１は、好ましくは基部４０１の上面４０６の形状に対応したイージーピールフィルムである。好ましくは、蓋４１１は少なくとも２層を含む多層積層品で作られており、その層の１つは熱シール可能な層である。シール４１４は、好ましくは蓋４１１に熱を加えることによって形成され、熱シール可能な層を基部４０１の上面４０６に結合させ、上面４０６および蓋４１１を相互に連結する。シール４１４は、好ましくは上面４０６の周囲に隣接して配置され、１つの角では角度を付けられており、それにより蓋４１１が上面４０６に結合されていない角が生じ、従って掴み部４１２を与え、そこでは上面４０６から蓋４１１を剥がし始めるのに使用者が蓋４１１を容易に掴むことができる。シール４１４の剥離強度は、好ましくは９８．４ｇ／ｃｍ（２５０グラム／インチ）未満であり、それで上面４０６と蓋４１１の間の密封を与える一方で、上面４０６から蓋４１１を容易に剥がすことを可能にする。基部４０１、蓋４１１およびシール４１４は防湿性を与え、これにより湿気は製品包装４００には浸透することができない。水蒸気透過速度（ＷＶＴＲ）はグラム／１００平方インチ／２４時間（ｇ／１００ｍ２（ｇ／１００ｓｑ．ｉｎ．））で測定される。湿気に敏感な製品では、ＷＶＴＲは好ましくは、基部４０１では３１ｇ／１００ｍ２（０．０２ｇ／１００ｓｑ．ｉｎ．）未満であり、蓋４１１では２００ｇ／１００ｍ２（０．１３ｇ／１００ｓｑ．ｉｎ．）未満である。
【００２７】
製品包装１００、２００、３００および４００は、固体製品１２０、２２０、３２０および４２０が、それぞれその中に収容され、固体製品１２０、２２０、３２０および４２０に直接接触することなく固体製品分配器中に容易に配置されることを可能にする。特定の形状の基部および製品を示し、また記載してきたけれども、他の形状の基部および製品も用いることができることが理解される。好ましくは、基部の形状は製品の形状に対応している。参照し易いように、製品包装４００が、固体製品分配器中へ製品４２０をどのように配置するかを記載するが、しかしながらこの記載はまた他の実施態様にも適用できる。
【００２８】
作業にあたっては、使用者は好ましくは製品包装４００を一方の手で保持し、そしてもう一方の手で蓋４１１を掴み部４１２の近傍で掴み、そして図１７に図示したように、シール４１４を破壊することによって、蓋４１１を上面４０６から剥離し始める。好ましくは、蓋４１１を取り除くのには道具を必要としない。いったん蓋４１１が上面４０６から剥がされ、そして空洞４０７中の固体製品４２０が現れると、図１８に示したように、使用者は好ましくは基部４０１を圧迫し、そして基部４０１をうね織り模様４０４の近傍で内側にゆがめて、基部４０１および固体製品４２０の間に摩擦を与え、それによって基部４０１が逆さにされた時に固体製品４２０は基部４０１から落下せず、基部４０１が製品枠の上方に位置し、また使用者が基部４０１上の彼のもしくは彼女の掴みを開放するまでは、落下しない。次いで、使用者は基部４０１を逆さにし、うね織り模様４０４が滑らない、掴むことができる表面を与えており、そして基部４０１上の彼のもしくは彼女の掴みを開放して、それにより基部４０１および固体製品４２０の間の摩擦を開放し、このことにより固体製品４２０が、空洞４０７から固体製品分配器の製品枠中へ落下することを可能にする。従って、固体製品４２０との直接の接触は必要としない。
【００２９】
いくつかの固体製品、例えば固体酸性およびアルカリ性製品は、吸湿の影響を受けやすく、それは製品概観、取り扱いの容易さおよび製品の性能に不利益な効果をもたらす。酸性固体製品の例は、米国特許第６４３２９０６号明細書および米国特許出願公開第２００５／０１９７２７６号明細書に開示されており、それらはここに参照によって組み込まれる。アルカリ性固体製品の例は、米国特許第５４７４６９８号明細書および米国特許出願第 号明細書（Ｍ＆Ｇドケット番号第１６３．２３１５ＵＳ０１号、表題：アルカリ性床洗浄組成物および床洗浄方法）に開示されており、それらはここに参照によって組み込まれる。米国特許出願公開第２００５／０１９７２７６号明細書に開示されている酸性固体製品および米国特許出願第 号明細書（Ｍ＆Ｇドケット番号第１６３．２３１５ＵＳ０１号，表題：アルカリ性床洗浄組成物および床洗浄方法）に開示されているアルカリ性固体製品は、ミネソタ州セントポールのエコラボインク（Ｅｃｏｌａｂ  Ｉｎｃ．）のソリッドセンス（ＳＯＬＩＤＳＥＮＳＥ）（登録商標）フロアーケアＡ＆Ｂ製品である。
【００３０】
このように、製品包装に用いられる物質の種類は特定の種類の固体製品の安定性を確保するのに重要である。前述のように、湿気に敏感な製品には、ＷＶＴＲは好ましくは、基部では３１ｇ／１００ｍ２（０．０２ｇ／１００ｓｑ．ｉｎ．）未満であり、蓋では２００ｇ／１００ｍ２（０．１３ｇ／１００ｓｑ．ｉｎ．）未満である。固体製品を安定に保つのに、どの物質が最も望ましいかを定めるために、幾つかの物質を試験した。
【実施例】
【００３１】
実施例１
米国特許出願公開第２００５／０１９７２７６号明細書に開示されている酸性製品および、ミネソタ州セントポールのエコラボインク（Ｅｃｏｌａｂ  Ｉｎｃ．）のソリッドセンス（ＳＯＬＩＤＳＥＮＳＥ）（登録商標）フロアーケアＡ＆Ｂ製品の酸性製品を、３種の異なる種類の製品包装に入れて、促進条件（１００゜Ｆで、相対湿度９０％）に曝した場合の質量減少および質量増加を、８週間にわたって測定するために、試験を行った。
【００３２】
製品包装１は、柔軟なフィルムである、延伸されたポリプロピレンパウチ（カナダ国、マニトバ州、ウィニペグのウィンパック  エルテーデー（Ｗｉｎｐａｋ  Ｌｔｄ．）が製造したＷＬＰ−２２０２）であり、固体製品をその中に収容するために熱シールした。
【００３３】
製品包装２は、ウィスコンシン州リポンのクリエイティブフォーミングインク（Ｃｒｅａｔｉｖｅ  Ｆｏｒｍｉｎｇ，  Ｉｎｃ．）が製造した硬質のポリプロピレントイであって、フィルムの蓋（ウィスコンシン州リポンのクリエイティブフォーミングインク（Ｃｒｅａｔｉｖｅ  Ｆｏｒｍｉｎｇ，  Ｉｎｃ．）が製造したＥＳＥ１２５０Ｚ１フィルム）を備えており、固体製品をトレイ中に収容するためにフィルムはトレイ上に熱シールした。
【００３４】
製品包装３は、ウィスコンシン州リポンのクリエイティブフォーミングインク（Ｃｒｅａｔｉｖｅ  Ｆｏｒｍｉｎｇ，  Ｉｎｃ．）が製造した硬質の再生されたポリエチレンテレフタレート（ＲＰＥＴ）トレイであり、フィルムの蓋（ウィスコンシン州リポンのクリエイティブフォーミングインク（Ｃｒｅａｔｉｖｅ  Ｆｏｒｍｉｎｇ，  Ｉｎｃ．）が製造したＥＳ３５０Ｎフィルム）を備えており、固体製品をトレイ中に収容するためにフィルムはトレイ上に熱シールした。
【００３５】
表１は、固体製品を３種の異なる製品包装中で、促進条件（１００゜Ｆで、相対湿度９０％）に８週間にわたって曝した場合の質量増加のパーセンテージを示している。
【００３６】
【表１】
2009543734.tif 000003
【００３７】
表１および、表１に示したデータのグラフ表現である図１９に示したように、製品包装２は最も高い防湿性を与えた。約３週間後、製品包装２に収容されている製品は、外観が黄色になり始め、そして８週間にわたって黄色くなり続けた。他の２種の製品包装については着色データを得ていない。
【００３８】
実施例２
幾つかの異なる種類の製品包装に入れた、固体酸性およびアルカリ性製品を、周囲条件（７３゜Ｆで、相対湿度５０％）および促進条件（１００゜Ｆで相対湿度６５％および１００゜Ｆで相対湿度８５％）に曝した場合の質量減少および質量増加を、８週間にわたって測定するために、試験を行った。
【００３９】
固体酸性製品は、米国特許出願公開第２００５／０１９７２７６号明細書に開示されている製品であり、また固体アルカリ性製品は米国特許出願第 号明細書（Ｍ＆Ｇドケット番号第１６３．２３１５ＵＳ０１号，表題：アルカリ性床洗浄組成物および床洗浄方法）に開示されている製品であった。米国特許出願公開第２００５／０１９７２７６号明細書に開示されている酸性固体製品および米国特許出願第 号明細書（Ｍ＆Ｇドケット番号第１６３．２３１５ＵＳ０１号，表題：アルカリ性床洗浄組成物および床洗浄方法）に開示されているアルカリ性固体製品は、ミネソタ州セントポールのエコラボインク（Ｅｃｏｌａｂ  Ｉｎｃ．）のソリッドセンス（ＳＯＬＩＤＳＥＮＳＥ）（登録商標）フロアーケアＡ＆Ｂ製品である。
【００４０】
包装Ａは、３８０μｍ（１５ミル）ポリエステル／７６μｍ（３ミル）鎖状低密度ポリエチレンで作られた半硬質の真空成形されたトレイ（カナダ国、マニトバ州、ウィニペグのウィンパック  エルテーデー（Ｗｉｎｐａｋ  Ｌｔｄ．）が製造したウィンパック（ＷＩＮＰＡＫ）ＰＥＴＥ３７５７５Ｌ）であり、２０μｍ（０．８ミル）ナイロン／６９μｍ（２．７ミル）低密度ポリエチレンで作られたイージーピール蓋材（カナダ国、マニトバ州、ウィニペグのウィンパック  エルテーデー（Ｗｉｎｐａｋ  Ｌｔｄ．）が製造したウィンパック（ＷＩＮＰＡＫ）ＰＡＥ２０７０Ｚ１４）を備えている。
【００４１】
包装Ｂは、３８０μｍ（１５ミル）ポリエステル／７６μｍ（３ミル）線状低密度ポリエチレンで作られた、半硬質の真空成形されたトレイ（カナダ国、マニトバ州、ウィニペグのウィンパック  エルテーデー（Ｗｉｎｐａｋ  Ｌｔｄ．）が製造したウィンパック（ＷＩＮＰＡＫ）ＰＥＴＥ３７５７５Ｌ）であり、１００μｍ（４．０ミル）の白色顔料を添加された高密度ポリエチレン共押出品で作られたイージーピール蓋材（カナダ国、マニトバ州、ウィニペグのウィンパック  エルテーデー（Ｗｉｎｐａｋ  Ｌｔｄ．）が製造したウィンパック（ＷＩＮＰＡＫ）ＳＫ１００ＷＮＦ）を備えている。
【００４２】
包装Ｃは、５３０μｍ（２１ミル）ポリプロピレン／７６μｍ（３ミル）ポリエチレン共押出品で作られた、半硬質の真空成形されたトレイ（カナダ国、マニトバ州、ウィニペグのウィンパック  エルテーデー（Ｗｉｎｐａｋ  Ｌｔｄ．）が製造したウィンパック（ＷＩＮＰＡＫ）ＰＥ６００Ｎ）であり、１００μｍ（４．０ミル）の白色顔料を添加された高密度ポリエチレン共押出品で作られたイージーピール蓋材（カナダ国、マニトバ州、ウィニペグのウィンパック  エルテーデー（Ｗｉｎｐａｋ  Ｌｔｄ．）が製造したウィンパック（ＷＩＮＰＡＫ）ＳＫ１００ＷＮＦ）を備えている。
【００４３】
包装Ｄは、２３０μｍ（９ミル）ナイロン、ＥＶＯＨ、線状低密度ポリエチレンで作られた柔軟な真空成形されたトレイ（カナダ国、マニトバ州、ウィニペグのウィンパック  エルテーデー（Ｗｉｎｐａｋ  Ｌｔｄ．）が製造したウィンパック（ＷＩＮＰＡＫ）ＭＢ２２５Ｌ）であり、２０μｍ（０．８ミル）ナイロン／６９μｍ（２．７ミル）低密度ポリエチレンで作られたイージーピール蓋材（カナダ国、マニトバ州、ウィニペグのウィンパック  エルテーデー（Ｗｉｎｐａｋ  Ｌｔｄ．）が製造したウィンパック（ＷＩＮＰＡＫ）ＰＡＥ２０７０Ｚ１４）を備えている。
【００４４】
包装Ｅは、２３０μｍ（９ミル）ナイロン、ＥＶＯＨ、線状低密度ポリエチレンで作られた柔軟な真空成形されたトレイ（カナダ国、マニトバ州、ウィニペグのウィンパック  エルテーデー（Ｗｉｎｐａｋ  Ｌｔｄ．）が製造したウィンパック（ＷＩＮＰＡＫ）ＭＢ２２５Ｌ）であり、１００μｍ（４．０ミル）の白色顔料を添加された高密度ポリエチレン共押出品で作られたイージーピール蓋材（カナダ国、マニトバ州、ウィニペグのウィンパック  エルテーデー（Ｗｉｎｐａｋ  Ｌｔｄ．）が製造したウィンパック（ＷＩＮＰＡＫ）ＳＫ１００ＷＮＦ）を備えている。
【００４５】
包装Ｆは、２３０μｍ（９ミル）ポリプロピレン、ポリオレフィンプラストマー共押出品で作られた柔軟な真空成形されたトレイ（カナダ国、マニトバ州、ウィニペグのウィンパック  エルテーデー（Ｗｉｎｐａｋ  Ｌｔｄ．）が製造したウィンパック（ＷＩＮＰＡＫ）ＭＳＦ２２５Ｌ）であり、１００μｍ（４．０ミル）の白色顔料を添加された高密度ポリエチレン共押出品で作られたイージーピール蓋材（カナダ国、マニトバ州、ウィニペグのウィンパック  エルテーデー（Ｗｉｎｐａｋ  Ｌｔｄ．）が製造したウィンパック（ＷＩＮＰＡＫ）ＳＫ１００ＷＮＦ）を備えている。
【００４６】
周囲条件および促進条件の下での質量減少および質量増加に加えて、これらの条件下での固体製品の安定性を定める助けとするために、目視での検査を行った。固体製品を、８週間にわたって各週に、点数法で格付けした。数値１は、相違点が観察されないことを表し、数値２は前週からの変化がないことを表し、数値３はフィルム中に孔があることを表し、数値４は製品が変色（黄色）していることを表し、そして数値５は製品が柔らかくなってきていることを表している。
【００４７】
固体酸性製品の質量変化の結果が表２中にあり、また固体アルカリ性製品の結果が表４中にある。固体酸性製品の目視での検査結果が表３中にあり、また固体アルカリ性製品の結果が表５中にある。
【００４８】
【表２】
2009543734.tif 000004
【００４９】
【表３】
2009543734.tif 000005
【００５０】
【表４】
2009543734.tif 000006
【００５１】
【表５】
2009543734.tif 000007
【００５２】
これらの結果から、フィルムのＷＶＴＲが低ければ低いほど、酸性およびアルカリ性製品にはより良い保護が提供されることが見出された。酸性およびアルカリ性製品に許容できる保護を与えるフィルムは、３１ｇ／１００ｍ２（０．０２ｇ／１００ｓｑ．ｉｎ．）未満のＷＶＲＴを有していた。酸性およびアルカリ性製品に許容できない保護を与えるフィルムは、９３〜７００ｇ／１００ｍ２（０．０６〜０．４５ｇ／１００ｓｑ．ｉｎ．）未満のＷＶＴＲを有しており、それでは製品の完全性は劣化した。
【００５３】
実施例３
幾つかの異なる種類の製品包装に入れた、固体酸性およびアルカリ性製品を、周囲条件（７３゜Ｆで、相対湿度５０％）および促進条件（１００゜Ｆで相対湿度６５％および１００゜Ｆで相対湿度８５％）に曝した場合の質量減少および質量増加を、８週間にわたって測定するために、試験を行った。
【００５４】
固体酸性製品は、米国特許出願公開第２００５／０１９７２７６号明細書に開示されている製品であり、また固体アルカリ性製品は米国特許出願第 号明細書（Ｍ＆Ｇドケット番号第１６３．２３１５ＵＳ０１号，表題：アルカリ性床洗浄組成物および床洗浄方法）に開示されている製品であった。米国特許出願公開第２００５／０１９７２７６号明細書に開示されている酸性固体製品および米国特許出願第 号明細書（Ｍ＆Ｇドケット番号第１６３．２３１５ＵＳ０１号，表題：アルカリ性床洗浄組成物および床洗浄方法）に開示されているアルカリ性固体製品は、ミネソタ州セントポールのエコラボインク（Ｅｃｏｌａｂ  Ｉｎｃ．）のソリッドセンス（ＳＯＬＩＤＳＥＮＳＥ）（登録商標）フロアーケアＡ＆Ｂ製品である。
【００５５】
包装Ｇは、３８０μｍ（１５ミル）ポリエステル／７６μｍ（３ミル）鎖状低密度ポリエチレンで作られた半硬質の真空成形されたトレイ（カナダ国、マニトバ州、ウィニペグのウィンパック  エルテーデー（Ｗｉｎｐａｋ  Ｌｔｄ．）が製造した、ＷＶＴＲが９３ｇ／１００ｍ２（０．０６ｇ／１００ｓｑ．ｉｎ．）のウィンパック（ＷＩＮＰＡＫ）ＰＥＴＥ３７５７５Ｌ）であり、２０μｍ（０．８ミル）ナイロン／６９μｍ（２．７ミル）低密度ポリエチレンで作られたイージーピール蓋材（カナダ国、マニトバ州、ウィニペグのウィンパック  エルテーデー（Ｗｉｎｐａｋ  Ｌｔｄ．）が製造した、ＷＶＴＲが７００ｇ／１００ｍ２（０．４５ｇ／１００ｓｑ．ｉｎ．）のウィンパック（ＷＩＮＰＡＫ）ＰＡＥ２０７０Ｚ１４）を備えていた。
【００５６】
包装Ｈは、ニュージャージー州、サドルブルックのクライオバックインク（Ｃｒｙｏｖａｃ  Ｉｎｃ．）製造の、一重に巻かれた、３１．７μｍ（１．２５ミル）の、多層の、架橋されたポリエチレンシュリンクフィルムで作られた柔軟なシュリンクフィルムであった。
【００５７】
周囲条件および促進条件の下での質量減少および質量増加に加えて、これらの条件下での固体製品の安定性を定める助けとするために、目視での検査を行った。固体製品を、８週間にわたって各週に、点数法で格付けした。数値１は、相違点が観察されないことを表し、数値２は前週からの変化がないことを表し、数値３はフィルム中に引き裂けがあることを表し、数値４は製品が柔らかくなってきていることを表し、数値５は製品が変色してきていることを表しており、数値６は製品が変色したことを表わしており、そして数値７は非常に小さいかびの斑点（ｍｏｌｄ  ｐａｔｃｈｅｓ）が形成され始めていることを表している。
【００５８】
固体酸性製品の質量変化の結果が表６中にあり、また固体アルカリ性製品の結果が表８中にある。固体酸性製品の目視での検査結果が表７中にあり、また固体アルカリ性製品の結果が表９中にある。
【００５９】
【表６】
2009543734.tif 000008
【００６０】
【表７】
2009543734.tif 000009
【００６１】
【表８】
2009543734.tif 000010
【００６２】
【表９】
2009543734.tif 000011
【００６３】
半硬質のトレイ中に包装された固体酸性製品および固体アルカリ性製品の両方ともに、柔軟なシュリンクフィルム中に包装された固体酸性製品および固体アルカリ製品に比べて、質量増加において顕著な減少を示した。更に、半硬質のトレイ中に包装された固体酸性製品および固体アルカリ性製品の外観は許容できるものであり、一方柔軟なシュリンクフィルム中に包装された固体酸性製品および固体アルカリ製品は、まだらになった外観を有していた。
【００６４】
包装Ｇでは、基部は９３ｇ／１００ｍ２（０．０６ｇ／１００ｓｑ．ｉｎ．）のＷＶＴＲを有しており、また蓋は７００ｇ／１００ｍ２（０．４５ｇ／１００ｓｑ．ｉｎ．）のＷＶＴＲを有していた。
【００６５】
実施例４
幾つかの異なる種類の製品包装に入れた、固体酸性およびアルカリ性製品を、周囲条件（７３゜Ｆで、相対湿度５０％）および促進条件（１００゜Ｆで相対湿度８５％）に曝した場合の質量減少および質量増加を、８週間にわたって測定するために、試験を行った。
【００６６】
固体酸性製品は、米国特許出願公開第２００５／０１９７２７６号明細書に開示されている製品であり、また固体アルカリ性製品は米国特許出願第 号明細書（Ｍ＆Ｇドケット番号第１６３．２３１５ＵＳ０１号，表題：アルカリ性床洗浄組成物および床洗浄方法）に開示されている製品であった。米国特許出願公開第２００５／０１９７２７６号明細書に開示されている酸性固体製品および米国特許出願第 号明細書（Ｍ＆Ｇドケット番号第１６３．２３１５ＵＳ０１号，表題：アルカリ性床洗浄組成物および床洗浄方法）に開示されているアルカリ性固体製品は、ミネソタ州セントポールのエコラボインク（Ｅｃｏｌａｂ  Ｉｎｃ．）のソリッドセンス（ＳＯＬＩＤＳＥＮＳＥ）（登録商標）フロアーケアＡ＆Ｂ製品である。
【００６７】
包装Ｉは、３８０μｍ（１５ミル）ポリエステル／７６μｍ（３ミル）鎖状低密度ポリエチレンで作られた半硬質の真空成形されたトレイ（カナダ国、マニトバ州、ウィニペグのウィンパック  エルテーデー（Ｗｉｎｐａｋ  Ｌｔｄ．）が製造したウィンパック（ＷＩＮＰＡＫ）ＰＥＴＥ３７５７５）であり、２５μｍ（１ミル）ナイロン／７６μｍ（３ミル）ポリエチレン共押出品で作られたイージーピール蓋材（カナダ国、マニトバ州、ウィニペグのウィンパック  エルテーデー（Ｗｉｎｐａｋ  Ｌｔｄ．）が製造したウィンパック（ＷＩＮＰＡＫ）ＰＥ）を備えている。
【００６８】
包装Ｊは、ニュージャージー州、サドルブルックのクライオバックインク（Ｃｒｙｏｖａｃ  Ｉｎｃ．）製造の、一重に巻かれた、３１．７μｍ（１．２５ミル）の、多層の、架橋されたポリエチレンシュリンクフィルムで作られた柔軟なシュリンクフィルムであった。
【００６９】
周囲条件および促進条件の下での質量減少および質量増加に加えて、これらの条件下での固体製品の安定性を定める助けとするために、目視での検査を行った。固体製品を、８週間にわたって各週に、点数法で格付けした。数値１は、相違点が観察されないことを表し、数値２は前週からの変化がないことを表し、数値３はミシン目の近傍に製品の変色および液垂れ（ｗｅｅｐａｇｅ）があることを表し、数値４はフィルムの加圧場所の近傍に製品の変色があることを表しており、数値５はミシン目の近傍に製品の軟化があることを表しており、また数値６はミシン目の近傍に製品の変色があることを表している。
【００７０】
固体酸性製品の質量変化の結果が表１０中にあり、また固体アルカリ性製品の結果が表１２中にある。固体酸性製品の目視での検査結果が表１１中にあり、また固体アルカリ性製品の結果が表１３中にある。
【００７１】
【表１０】
2009543734.tif 000012
【００７２】
【表１１】
2009543734.tif 000013
【００７３】
【表１２】
2009543734.tif 000014
【００７４】
【表１３】
2009543734.tif 000015
【００７５】
シュリンク包装されたブロックでは、周囲条件の下では顕著な変化は見られなかった。促進条件下では、大量の水分を保持したブロックは、柔軟であり、また水分を吸収した部分では色が変わった。シュリンク包装したブロックは、許容できる防湿性を与えなかった。シュリンクフィルムの特質は、包み込む製品の周りでフィルムが収縮する際に空気の排出の工程を必要とする。通常用いられている空気の排出の２つの選択肢は、フィルム中のパンチ孔またはピン穿孔である。両方の選択肢とも、製品の露出した領域を大気条件、特に吸湿の状態にし、その速度は排出孔またはミシン目の大きさによって制御することができるが、しかしながら先に参照したトレイ包装の基部によって与えられるような３１ｇ／１００ｍ２（０．０２ｇ／１００ｓｑ．ｉｎ．）未満にはできない。トレイ包装の基部は製品による吸湿の量を低減する。
【００７６】
トレイ包装では、周囲条件の下では顕著な変化は見られなかった。ブロックは促進条件の下でその硬さを保持していた。トレイ包装は許容できる防湿性を与えた。
【００７７】
一連の試験を通して、種々の物質について包装された製品の完全性を維持するその能力を、吸湿、製品外観、例えば変色、変形等を基に評価した。異なるポリマー、例えばナイロン、ポリエチレン、ポリプロピレン等を評価する中で、ポリプロピレン共押出品が最も望ましい結果を与えることが見出された。ポリプロピレンは、許容できるＷＶＴＲ速度を有するのに加えて、良好な透明度およびより高い軟化点を与えるので、当技術分野で知られている種々の成形方法で用いることを可能にする。ポリプロピレンは最も望ましい結果を与えるが、他の物質もまた許容できる結果を与えることが理解される。
【００７８】
上記の明細書、実施例およびデータは、本発明の組成物の製造および使用の完全な説明を提供している。本発明の精神および範囲から逸脱することなく、本発明の多くの実施態様を作り出すことが可能であるから、本発明は後に付加する特許請求の範囲中にある。
【産業上の利用可能性】
【００７９】
本発明は、種々の用途、例えば食器洗い洗剤、食器洗いリンス剤、車両手入れ洗剤、例えば車用洗剤、医療機器洗剤、定置洗浄剤、床洗浄剤用等固体製品の製品包装および製品包装の方法を提供することができる。
【図１】
2009543734.tif 000016
【図２】
2009543734.tif 000017
【図３】
2009543734.tif 000018
【図４】
2009543734.tif 000019
【図５】
2009543734.tif 000020
【図６】
2009543734.tif 000021
【図７】
2009543734.tif 000022
【図８】
2009543734.tif 000023
【図９】
2009543734.tif 000024
【図１０】
2009543734.tif 000025
【図１１】
2009543734.tif 000026
【図１２】
2009543734.tif 000027
【図１３】
2009543734.tif 000028
【図１４】
2009543734.tif 000029
【図１５】
2009543734.tif 000030
【図１６】
2009543734.tif 000031
【図１７】
2009543734.tif 000032
【図１８】
2009543734.tif 000033
【図１９】
2009543734.tif 000034
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
固体製品の製品包装であって、
ａ）固体製品を受け入れるように構成および配置された空洞を形成する上面、側面および底部を有する基部であって、外側表面を有している基部、
ｂ）基部の外側表面上の肌理であって、基部を逆さにした時に、使用者の基部を掴む能力を高める肌理、
ｃ）蓋、および
ｄ）基部の上面と蓋を相互に連結するシールであって、蓋が基部の上面から剥離することができるようにするシール、を含む製品包装。
【請求項２】
肌理がうね織り模様である請求項１記載の製品包装。
【請求項３】
うね織り模様が少なくとも１．５ｍｍ外側に延びている請求項２記載の製品包装。
【請求項４】
うね織り模様が少なくとも第１および第２の畝を含み、第１の畝の中心が第２の畝の中心から少なくとも２５．４ｍｍ間隔をあけている請求項２記載の製品包装。
【請求項５】
基部が、３１ｇ／１００ｍ２（０．０２ｇ／１００ｓｑ．ｉｎ．）未満の水蒸気透過速度を有し、また蓋が２００ｇ／１００ｍ２（０．１３ｇ／１００ｓｑ．ｉｎ．）未満の水蒸気透過速度を有する請求項１記載の製品包装。
【請求項６】
固体製品を製品包装から固体製品分配器中へ分配する方法であって、
ａ）基部、蓋およびシールを有する製品包装であって、基部は固体製品を受け入れるように構成および配置された空洞を形成する上面、側面および底部を有しており、シールは基部の上面と蓋を相互に連結し、シールは蓋が掴まれ、また蓋を基部の上面から剥離させることを可能にする、製品包装を得ること
ｂ）蓋の剥離可能な部分を掴むこと、
ｃ）剥離可能な蓋を基部から剥離すること、
ｄ）基部を掴み、そして基部を逆さにし、それによって基部の底部を上の方向にし、また基部の上面を下の方向にすること、および
ｅ）固体製品が空洞から固体製品分配器中に滑り出すことを可能にすること、を含む方法。
【請求項７】
固体製品を製品包装から固体製品分配器中へ分配する方法であって、製品包装は基部、蓋およびシールを有しており、基部は固体製品を受け入れるように構成および配置された空洞を形成する上面、側面および底部を有しており、基部は外側表面上の少なくとも一部に肌理を有する外側表面を有しており、シールは基部の上面と蓋を相互に連結し、シールは蓋が掴まれ、また蓋を基部の上面から剥離させることを可能し、
ａ）製品包装を得ること、
ｂ）剥離可能な蓋の一部を掴むこと、
ｃ）剥離可能な蓋を基部から剥離すること、
ｄ）肌理に隣接した基部を掴むこと、その肌理は基部の外側表面の近傍に掴むことのできる表面を与えるものであること、
ｅ）肌理の近傍で基部を圧迫し、そうして基部を逆さにする前に、基部を内側にゆがめて基部と固体製品の間に摩擦を与え、それによって摩擦が開放されるまでは固体製品が基部から落ちないようにすること、
ｆ）基部を逆さにすること、それによって基部の底部を上の方向にし、また基部の上面を下の方向にし、基部が逆さにされた時に肌理が使用者の基部を掴む能力を高めること、および
ｇ）摩擦を開放すること、それによって固体製品が空洞から固体製品分配器中に滑り出すことを可能にすること、を含む方法。
【国際調査報告】
2009543734.tif 000035
2009543734.tif 000036